(57)【要約】【課題】車輪の駆動によって機体を推進しながら、前部の刈取デッキ内で刈取られる草を、車輪中央部の小径部から後方へ排出させる草刈機においては、これら車輪部が狭いと刈草の排出性が悪く、機体の揺動やローリング性等が著しく、安定した円滑な草刈作用を維持し難い。【解決手段】ブレード１を軸装２する刈取デッキ３の後側に、中央部が左右両側部よりも小径の車輪４を配置し、該刈取デッキ３の後側に排出される刈草を前記車輪４小径部４ａから後方へ排出可能の歩行型草刈機において、車輪４の小径部４ａ外周面に複数の板状突起５を設け、この中央部には機体８に対して固定のブラケット９を垂設すると共に、該ブラケット９を、側面視車輪４小径部４ａの下方域では、前記板状突起５先端回転軌跡Ａよりも内側、且つ、後方域では回転軌跡Ａよりも外方へ突出する形状に形成してなる歩行型草刈機の刈草排出装置の構成とする。【選択図】図１
2005328750.tif 000002
【特許請求の範囲】
【請求項１】
ブレード（１）を軸装（２）する刈取デッキ（３）の後側に、中央部が左右両側部よりも小径の車輪（４）を配置し、該刈取デッキ（３）の後側に排出される刈草を前記車輪（４）小径部（４ａ）から後方へ排出可能の歩行型草刈機において、車輪（４）の小径部（４ａ）外周面に複数の板状突起（５）を設け、この中央部には機体（８）に対して固定のブラケット（９）を垂設すると共に、該ブラケット（９）を、側面視車輪（４）小径部（４ａ）の下方域では、前記板状突起（５）先端回転軌跡（Ａ）よりも内側、且つ、後方域では回転軌跡（Ａ）よりも外方へ突出する形状に形成してなる歩行型草刈機の刈草排出装置。
【発明の詳細な説明】
【技術分野】
【０００１】
この発明は、刈取デッキの後側に左右一対の車輪と、後方に突出のハンドルを設けた歩行型草刈機の刈草排出装置に関するもので、左右中央部が両側部よりも小径の車輪小径部からの刈草後方排出を円滑に行わせるものである。
【背景技術】
【０００２】
刈取デッキの後側に左右一対の車輪を配置し、これら左右の車輪間の車軸受け部を機体のブラケットに軸受けさせる技術（例えば、特許文献１参照）が知られている。
【特許文献１】特開２００２−３６号公報（第６頁、図１０）。
【発明の開示】
【発明が解決しようとする課題】
【０００３】
車輪の駆動によって機体を推進しながら、前部の刈取デッキ内で刈取られる草を、車輪中央部の小径部から後方へ排出させる草刈機においては、これら車輪小径部が狭いと刈草の排出性が悪く、機体の揺動やローリング性等が著しく、安定した円滑な草刈作用を維持し難い。一方、車輪の中央部を小径に形成すると、この小径部への草の巻付きが激しく、草刈作業を行っていると、刈草の後方への排出性が悪くなるという問題があった。
本発明は、車輪小径部への刈草の巻付きを防止できるとともに、刈草の後方排出を円滑に行わせることのできる歩行型草刈機の刈草排出装置を提供することを課題とする。
【課題を解決するための手段】
【０００４】
請求項１に記載の発明は、ブレード１を軸装２する刈取デッキ３の後側に、中央部が左右両側部よりも小径の車輪４を配置し、該刈取デッキ３の後側に排出される刈草を前記車輪４小径部４ａから後方へ排出可能の歩行型草刈機において、車輪４の小径部４ａ外周面に複数の板状突起５を設け、この中央部には機体８に対して固定のブラケット９を垂設すると共に、該ブラケット９を、側面視車輪４小径部４ａの下方域では、前記板状突起５先端回転軌跡Ａよりも内側、且つ、後方域では回転軌跡Ａよりも外方へ突出する形状に形成してなる歩行型草刈機の刈草排出装置の構成とする。
【発明の効果】
【０００５】
請求項１に記載の発明は、ブレード１を軸装２する刈取デッキ３の後側に、中央部が左右両側部よりも小径の車輪４を配置し、該刈取デッキ３の後側に排出される刈草を前記車輪４小径部４ａから後方へ排出可能の歩行型草刈機において、車輪４の小径部４ａ外周面に複数の板状突起５を設けてあるので、該小径部４ａのみが接地するような山状の畝上や凹凸刈取地面での作業時にも、板状突起５が地面を確実に掻き、安定した機体の推進駆動を行うことができる。
又、車輪４小径部４ａの中央部には機体８に対して固定のブラケット９を垂設するとともに、該ブラケット９を、車輪４小径部４ａの下方域では、前記板状突起５先端回転軌跡Ａよりも内側になり、且つ、後方域では回転軌跡Ａよりも外方へ突出する形状に形成してあるので、この小径部４ａと刈取地面との間隔を広く形成して刈草の排出を行われ易くするとともに、板状突起５の回動によって巻掛けられる刈草は、該板状突起５回転軌跡Ａよりも外方へ突出させたブラケット９によって掻き落とされて、小径部４ａへの刈草の巻付きを防止することができる。
【発明を実施するための最良の形態】
【０００６】
図例に基づいて、歩行型草刈機は、左右一対の車輪４と、後方には左右振替可能のハンドルフレーム１５を有して、エンジン１６の駆動によってこれら車輪４、及び前側の刈取デッキ３内のブレード軸２を伝動して、走行しながら芝草の刈取を行うことのできるハンドル走行操作形態の構成とする。機体８の主体を構成する伝動ケース１７の左右両側部には、アクスルハウジング１８を設け、この外側端に走行伝動ケース１９を設け、下端部に車輪４を軸装する。この伝動ケース１７の上側にはハンドルポスト２０を立設して、上端部には後方位置から左右略真横位置に旋回して振替可能のハンドルフレーム１５を取付ける。又、このハンドルフレーム１５はハンドルポスト２０のブラケット２１に対して横方向のハンドルピン２２の周りに上下回動させて、ハンドル高さを調節可能に構成している。このハンドルフレーム１５の後端には把持操作用のハンドル２３を設ける。このようなハンドルフレーム１５の振替操作は、手動操作によって行う形態に構成することができるが、伝動ケース１７内の伝動力によって振替えることのできる形態とすることもできる。この場合は、定位置のハンドルフレーム１５に対して、機体８側を左右の車輪４の駆動によってハンドルポスト２０の周りに旋回させて向きを変更するように構成することができる。
【０００７】
又、伝動ケース１７の後端にはエンジン１６が連結されて、主クラッチ、及び変速機構等を経て前記アクスルハウジング１８内の車輪伝動軸２４を伝動すると共に、前端部の刈取軸２５を伝動する形態に構成している。伝動ケース１７の前側には、刈取デッキ３が設けられる。この刈取デッキ３の下側には左右一対のブレード１軸２が垂直状に設けられて、これらブレード軸２の上端と前記刈取軸２５との間にはベルト２６が掛けわたされて、伝動回転される。刈取デッキ３の前面には、刈草を誘導する案内口２７や、案内杆２８等が設けられ、後方には刈取った草を排出する排出口２９が形成されて、後方の車輪４間隔部に対向する。３０は刈取デッキ３から前方に突出されたホイルアームで、この前端にはゲージホイル３１が回転自在に軸装３２される。３３はブラケット、３４は軸穴である。
【０００８】
前記車輪４は車軸３５を有して、前記走行伝動ケース１９と中央部のブラケット９軸受１０との間にわたって回転自在に軸受けされ、走行伝動ケース１９内のチェン４９、スプロケット４８機構や、サイドクラッチ等を介して伝動回転される。車輪４の外側端は車軸３５の外側端部に位置して、最大回転径にして形成され、路上走行するときには路面を損傷しないように周面にゴムタイヤ４Ｇを設ける形態とすることができる。この車輪４の内側には、この車輪４の径よりも小径とする車輪４が一体構成される。この車輪４の周面は途中に段付部３６を形成して、この段付部３６から外側部６Ａは大回転径に形成し、これに対して内側部６Ｂは小回転径に形成している。
【０００９】
前記ブラケット９は、ディスク形態で、左右車輪４小径部４ａ間の中央部に位置して、上方の機体８に一体のアクスルハウジング１８乃至伝動ケース１７部に一体構成している。このアクスルハウジング１８に突出する取付ブラケット３８にブラケット９の上端部を重合させてボルト３９締めで取付けられる。このブラケット９の下部には軸受１０を有して、前記左右の車軸３５の内端部をこの軸受１０に回転自在に軸受けする。又、このブラケット９の左右両側面には車輪４小径部４ａの内端縁部７を接近させる。このブラケット９の左右両側面には、この小径部４ａの内端縁部７に重合するカバー１１を設けて、刈草等の巻込み侵入を阻止する。このカバー１１の外周面には外側端部を小径とする段付部４０を形成し、この段付部４０よりも外側端部の小径部４１の外周に、前記小径部４ａの内側部６Ｂを回転自在に嵌合させている。ブラケット９の下端周縁部４２は、該小径部４ａの内側部６Ｂの回転周面よりも外周部に突出されて、刈草の巻付難い形態に形成される。とくに小径部４ａの後側部においては、この小径部４ａ外周面に突出の板状突起５の回転軌跡Ａよりも外方に突出する解放縁４３が形成されて、小径部４ａの回転によって付き回りされる刈草を後側へ解放落下させる形態にしている。尚、本実施例の車輪４は、段付部３６の外側部６Ａにも板状突起５を設けてある。
【００１０】
前記ハンドル２３部には、主クラッチを入り切りする主クラッチレバー４５や、左右の車輪４等の伝動クラッチを入り切りするサイドクラッチレバー４６等を配置している。
刈取作業は、ハンドルフレーム１５後端のハンドル２３を把持して、機体８を前進Ｆさせるか、ハンドルフレーム１５に対して機体８を左側Ｌに向けた状態で、この左側Ｌへ進行させるか、又は、ハンドルフレーム１５に対して機体８を右側Ｒに向けた状態で、この右側Ｒへ進行させることによって刈取走行する。主クラッチレバー４５で主クラッチを入りにすると、左右の車輪４が駆動されて、機体８を前方Ｆ、左方Ｌ、又は右方Ｒ等に進行させながら、刈取デッキ３内のブレード１が回転されて、草の刈取が行われる。この刈取られた草は刈取デッキ３後部の排出口２９から後方へ排出されて、後側の車輪４の回転によって、下面の刈取地面と車輪４小径部４ａとの間隔を後方へ排出される。この排出される刈草は、刈取地面との間隔を広く形成する小径部４ａへの案内移行が行われ易く、外側部６Ａの刈草は内側部６Ｂ寄りに移行され易い状態にある。このため、後方へ排出案内される刈草はこの内側部６Ｂの後側に沿って排出刈草条を形成される。そして、刈草の排出作用が円滑に行われ、車輪４による踏付を少なくして、安定した走行を行わせることができる。
【００１１】
このような刈草の車輪４小径部４ａによる排出作用においては、小径部４ａの内側部６Ｂへの移行によって、この内端縁部７に対する刈草の巻付き圧力が大きくなるが、この内端縁部７と中央部のブラケット９部との間にはカバー１１が形成されるため、これらカバー１１及びブラケット９等に対する巻付は少なく、内部の車軸３５の軸受１０部に対する侵入巻付を防止する。又、これら左右の車輪４は、中央部の小径部４ａ側がブラケット９によって軸受け１０されるため、刈草排出時に大きい負荷、抵抗を受けても歪むことが少なく、安定した排出、走行姿勢を維持する。
前記車輪４は、外周にゴム製タイヤ４Ｇを設ける形態としたが、これに代えてディスク形態とすることもできる。この車輪４の外周にはスターホイル形態の歯形縁を形成して、刈取面に対する摩擦駆動性を高める形態とすることができる。
又、前記左右の車輪４は、左右各別に回転可能の構成であるが、この車軸３５は、図５のように左右の車輪４にわたって単一軸として、左右両側の走行伝動ケース１９間にわたって固定支持し、この車軸３５の周りには、スプロケット４８、車輪４、及び小径部４ａの左右各ボス軸４７を回転自在に軸受けして、走行伝動ケース１９内のチェン４９によって駆動回転する形態とすることもできる。この形態では、ブラケット９の軸受１０で車軸３５の中央部を支持する。
【００１２】
図６に示すように、前記刈取デッキ３の左右両側部に設けられるサイドカバー１３は、前後一対のロッド５１を有して、刈取デッキ３の側端部に固定のソケット５２に嵌合させて、上下摺動自在に設ける。このソケット５２内にはスプリング５３を設けて、ロッド５１を下方へ弾発させている。サイドカバー１３の下端には柔かい合成樹脂板、又はゴム板等からなる弾性体１２を取付けて、サイドカバー１３と刈取面との間隔部を閉鎖する構成としている。前記刈取デッキ３の前方部を支持するゲージホイル３１のホイル軸３２は、ホイルアーム３０のブラケット３３の軸穴３４に差替えて、刈取高さを調節することができる。この調節に伴ってサイドカバー１３及び弾性体１２が上下動して、弾性体１２の下縁が常時刈取面に摺接できる状態にある。
このようなサイドカバー１３は、刈取高さの調節はもとより、刈取面や刈取地面凹凸変化等に応じて、下端縁の弾性体１２が常にこの刈取面に摺動状態にあるため、ブレード１によって刈取られて放射方向へ飛散される刈草は、これら横側のサイドカバー１３乃至弾性体１２に案内されて、後側の左右両車輪４間の間隔部から排出するものである。このときサイドカバー１３の上下動と、この下端縁に沿う弾性体１２の弾性作用によって、刈取面との間の間隙乃至間隔部は生じ難く、刈草の側方への飛出を防止することができ、特に前記左側Ｌ、又は右側Ｒの刈取形態では、これらの方向にハンドル２３及び作業者が位置しているが、刈草の飛散を防止して安全な作業を行うことができる。又、このサイドカバー１３の刈取面に対する摺動縁は弾性体１２によるため、刈取面等との摺動抵抗を受けることによって歪み易く、摺動抵抗、乃至機体８の推進抵抗を小さくする。この弾性体１２は、前記のような板状体に限らず、中空状のインシュレータ形態とすることもできる。
【００１３】
又、サイドカバー１３は、図７、図８のように、後端部のボス部５５を機体８側のヒンジ５６に嵌合支持させて、前端側を上下動自在に構成する形態としたものである。前端部は、刈取デッキ３の前側に取付けられる集草杆５７の左右両側端に下向きの案内部５８を形成し、この案内部５８にサイドカバー１３前端の案内片５９の案内穴を嵌合させて、一定高さにわたって上下動自在に設け、このサイドカバー１３の自重によって常時下動させて、下端縁の弾性体１２を刈取面に摺動させる。刈取作業時は、刈取デッキ３の左右両側端下縁と刈取面との上下間隔部が変化すると、これに伴ってサイドカバー１３が機体８に対してヒンジ５６の周りに上下回動して、この弾性体１２が常に刈取面に接近摺動して、刈草の横側への飛出を防止する。このようなサイドカバー１３の上下動は、後端部のヒンジ５６の周りに上下回動することによって行われるため、構成が簡単であり、上下動も円滑に行われる。
このようなサイドカバー１３の上下回動は、前端側をヒンジとして行わせる形態とすることもできる。即ち、前記ヒンジ５６とボス部５５をサイドカバー１３の前端部に設け、案内部５８と案内片５９を後端部に設ける形態とする。
【図面の簡単な説明】
【００１４】
【図１】車輪部の要部平断面図。
【図２】車輪部の側面図。
【図３】草刈機全体の平面図。
【図４】その一部断側面図。
【図５】車輪部の別実施例を示す平断面図。
【図６】刈取デッキ部の実施例を示す要部側面図及び一部正面図。
【図７】刈取デッキ部の別実施例を示す全体平面図。
【図８】その側面図。
【符号の説明】
【００１５】
１    ブレード
２    ブレード軸
３    刈取デッキ
４    車輪
４ａ  小径部
５    板状突起
７    内端縁部
８    機体
９    ブラケット
【図１】
2005328750.tif 000003
【図２】
2005328750.tif 000004
【図３】
2005328750.tif 000005
【図４】
2005328750.tif 000006
【図５】
2005328750.tif 000007
【図６】
2005328750.tif 000008
【図７】
2005328750.tif 000009
【図８】
2005328750.tif 000010